(57)【要約】【課題】通信システムにおけるマルチキャスト／ブロードキャスト信号を送受信するシステム及び方法を提供する。【解決手段】通信システムは、同一のサービスの提供を受ける少なくとも１つの領域を含み、領域が少なくとも１つのアクセスサービスネットワークゲートウェイ（Access Service Network GateWay；ＡＳＮ-ＧＷ）と、ＡＳＮ-ＧＷに接続されている少なくとも１つの基地局（BaseStation；ＢＳ）とを含む場合には、ＡＳＮ-ＧＷが、領域に関する情報に従って、受信された第１のマルチキャスト／ブロードキャスト信号を用いて第２のマルチキャスト／ブロードキャスト信号を生成し、ＢＳが第２のマルチキャスト／ブロードキャスト信号を送信しなければならない時点を示す時刻情報を生成し、第２のマルチキャスト／ブロードキャスト信号及び時刻情報をＢＳへ送信する。【選択図】図４
2008099291.tif 000002
【特許請求の範囲】
【請求項１】
通信システムにおけるアクセスサービスネットワークゲートウェイ（Access Service Network Gateway；ＡＳＮ_ＧＷ）でマルチキャスト／ブロードキャスト信号を送受信する方法であって、
前記通信システムが同一のサービスの提供を受ける少なくとも１つの領域を含み、前記領域が少なくとも１つのＡＳＮ＿ＧＷと、前記ＡＳＮ＿ＧＷに接続されている少なくとも１つの基地局（BaseStation；ＢＳ）とを含む場合には、当該領域に関する情報に従って、受信された第１のマルチキャスト／ブロードキャスト信号を用いて第２のマルチキャスト／ブロードキャスト信号を生成するステップと、
前記ＢＳが前記第２のマルチキャスト／ブロードキャスト信号を送信しなければならない時点を示す時刻情報を生成するステップと、
前記第２のマルチキャスト／ブロードキャスト信号及び前記時刻情報を前記ＢＳへ送信するステップと、
を含むことを特徴とする方法。
【請求項２】
前記時刻情報を生成するステップは、
前記ＢＳにより管理されている時刻（Time of Day；ＴｏＤ）に関連した第１の情報の送信を要求する第２の情報を、前記ＢＳへ送信するステップと、
前記第２の情報に応じて前記ＢＳから前記第１の情報を受信するステップと、
前記第１の情報を用いて前記時刻情報を生成するステップと、を含むことを特徴とする請求項１記載の方法。
【請求項３】
前記第１の情報がＴｏＤ情報である場合に、
前記第１の情報を用いて前記時刻情報を生成するステップは、
前記ＴｏＤ情報を用いて、前記第２のマルチキャスト／ブロードキャスト信号の送信単位であるフレームのフレーム番号を、前記時刻情報として生成するステップを含むことを特徴とする請求項２記載の方法。
【請求項４】
前記第１の情報が前記第２のマルチキャスト／ブロードキャスト信号の送信単位であるフレームのフレーム番号である場合に、
前記第１の情報を用いて前記時刻情報を生成するステップは、
前記受信されたフレーム番号を前記時刻情報として生成するステップを含むことを特徴とする請求項２記載の方法。
【請求項５】
前記ＡＳＮ＿ＧＷが１つのＢＳに接続される場合に、前記第２の情報を送信するステップは、
前記ＢＳの正常動作を示す正常動作通知メッセージを前記ＢＳから受信するステップと、
前記第２の情報を前記正常動作通知メッセージの成功的な受信を示す肯定応答（ACKnowledgment；ＡＣＫ）メッセージに含めて、当該ＡＣＫメッセージを前記ＢＳへ送信するステップと、を含むことを特徴とする請求項２記載の方法。
【請求項６】
前記ＡＳＮ＿ＧＷが少なくとも２つのＢＳに接続される場合に、前記第２の情報を送信するステップは、
前記少なくとも２つのＢＳの正常動作を示す正常動作通知メッセージを前記少なくとも２つのＢＳから受信するステップと、
前記第１の情報を送信する、前記少なくとも２つのＢＳのうちの少なくとも１つを選択するステップと、
前記第２の情報を、前記選択された少なくとも１つのＢＳからの前記正常動作通知メッセージの成功的な受信を示す肯定応答（ACKnowledgment；ＡＣＫ）メッセージに含めて、当該ＡＣＫメッセージを前記少なくとも１つのＢＳへ送信するステップと、を含むことを特徴とする請求項２記載の方法。
【請求項７】
上位層から、該上位層で生成された時刻情報を含む無線周波数（Radio Frequency；ＲＦ）スケジューリング情報を受信するステップと、
前記ＲＦスケジューリング情報を用いて、前記第１のマルチキャスト／ブロードキャスト信号に対するパケット化動作を遂行するステップと、
前記パケット化動作の結果を示す第３の情報を前記第２のマルチキャスト／ブロードキャスト信号に含めて、該第２のマルチキャスト／ブロードキャスト信号を前記ＢＳＳへ送信するステップと、
をさらに含むことを特徴とする請求項１記載の方法。
【請求項８】
前記ＢＳから、該ＢＳで生成された時刻情報を含むＲＦスケジューリング情報を受信するステップと、
当該ＲＦスケジューリング情報を用いて、前記第１のマルチキャスト／ブロードキャスト信号に対するパケット化動作を遂行するステップと、
当該パケット化動作の結果を示す第３の情報を前記第２のマルチキャスト／ブロードキャスト信号に含めて、該第２のマルチキャスト／ブロードキャスト信号を前記ＢＳへ送信するステップと、
をさらに含むことを特徴とする請求項１記載の方法。
【請求項９】
通信システムにおける基地局（BaseStation；ＢＳ）でマルチキャスト／ブロードキャスト信号を送受信する方法であって、
前記通信システムが同一のサービスの提供を受ける少なくとも１つの領域を含み、前記領域が少なくとも１つのアクセスサービスネットワークゲートウェイ（Access Service Network Gateway；ＡＳＮ＿ＧＷ）と、前記ＡＳＮ＿ＧＷに接続されている少なくとも１つのＢＳとを含む場合には、マルチキャスト／ブロードキャスト信号及び前記ＢＳが前記マルチキャスト／ブロードキャスト信号を送信しなければならない時点を示す時刻情報を前記ＡＳＮ＿ＧＷから受信するステップと、
前記時刻情報に従って、前記マルチキャスト／ブロードキャスト信号を送信するステップと、
を含むことを特徴とする方法。
【請求項１０】
前記時刻情報は、当該ＢＳが管理している時刻（Time of Day；ＴｏＤ）に関連した第１の情報を用いて、前記ＡＳＮ＿ＧＷにより生成されることを特徴とする請求項９記載の方法。
【請求項１１】
当該ＢＳが管理している時刻（Time of Day；ＴｏＤ）に関連した第１の情報の送信を要求する第２の情報を前記ＡＳＮ＿ＧＷから受信するステップと、
当該第２の情報に応じて、前記第１の情報を前記ＡＳＮ＿ＧＷへ送信するステップと、
をさらに含むことを特徴とする請求項９記載の方法。
【請求項１２】
前記マルチキャスト／ブロードキャスト信号は、前記ＡＳＮ＿ＧＷにより遂行されたパケット化動作の結果を示す情報を含むことを特徴とする請求項９記載の方法。
【請求項１３】
通信システムにおけるマルチキャスト／ブロードキャスト信号を送受信するシステムであって、
アクセスサービスネットワークゲートウェイ（Access Service Network Gateway；ＡＳＮ＿ＧＷ）を含み、
前記通信システムが同一のサービスの提供を受ける少なくとも１つの領域を含み、前記領域が少なくとも１つのＡＳＮ＿ＧＷと、前記ＡＳＮ＿ＧＷに接続されている少なくとも１つの基地局（BaseStation；ＢＳ）とを含む場合には、前記ＡＳＮ＿ＧＷは、前記領域に関する情報に従って、受信された第１のマルチキャスト／ブロードキャスト信号を用いて第２のマルチキャスト／ブロードキャスト信号を生成し、前記第２のマルチキャスト／ブロードキャスト信号を前記ＢＳが送信しなければならない時点を示す時刻情報を生成し、前記第２のマルチキャスト／ブロードキャスト信号及び前記時刻情報を前記ＢＳへ送信することを特徴とするシステム。
【請求項１４】
前記ＡＳＮ＿ＧＷは、前記ＢＳが管理している時刻（Time of Day；ＴｏＤ）に関連した第１の情報の送信を要求する第２の情報を前記ＢＳへ送信し、前記第２の情報に応じて前記ＢＳから送られて来た前記第１の情報を受信し、該第１の情報を用いて前記時刻情報を生成することを特徴とする請求項１３記載のシステム。
【請求項１５】
前記第１の情報がＴｏＤ情報の場合には、前記ＡＳＮ＿ＧＷは、前記ＴｏＤ情報を用いて、前記第２のマルチキャスト／ブロードキャスト信号の送信単位であるフレームのフレーム番号を、前記時刻情報として生成することを特徴とする請求項１４記載のシステム。
【請求項１６】
前記第１の情報が前記第２のマルチキャスト／ブロードキャスト信号の送信単位であるフレームのフレーム番号である場合には、前記ＡＳＮ＿ＧＷは、前記受信されたフレーム番号を前記時刻情報として生成することを特徴とする請求項１４記載のシステム。
【請求項１７】
前記ＡＳＮ＿ＧＷが１つのＢＳに接続される場合には、前記ＡＳＮ＿ＧＷは、前記ＢＳの正常動作を示す正常動作通知メッセージを前記ＢＳから受信し、前記第２の情報を、前記正常動作通知メッセージの受信に成功したことを示す肯定応答（ACKnowledgment；ＡＣＫ）メッセージに含めて、当該ＡＣＫメッセージを前記ＢＳへ送信することを特徴とする請求項１４記載のシステム。
【請求項１８】
前記ＡＳＮ＿ＧＷが少なくとも２つのＢＳに接続される場合には、前記ＡＳＮ＿ＧＷは、前記少なくとも２つのＢＳの正常動作を示す正常動作通知メッセージを前記少なくとも２つのＢＳから受信し、前記第１の情報を送信する、前記少なくとも２つのＢＳのうちの少なくとも１つを選択し、前記第２の情報を、前記選択された少なくとも１つのＢＳからの前記正常動作通知メッセージを成功裡に受信したことを示す肯定応答（ACKnowledgment；ＡＣＫ）メッセージに含めて、当該ＡＣＫメッセージを前記少なくとも１つのＢＳへ送信することを特徴とする請求項１４記載のシステム。
【請求項１９】
前記ＡＳＮ＿ＧＷは、上位層から、該上位層で生成された時刻情報を含む無線周波数（Radio Frequency；ＲＦ）スケジューリング情報を受信し、該ＲＦスケジューリング情報を用いて、前記第１のマルチキャスト／ブロードキャスト信号に対するパケット化動作を遂行し、当該パケット化動作の結果を示す第３の情報を前記第２のマルチキャスト／ブロードキャスト信号に含めて、該第２のマルチキャスト／ブロードキャスト信号を前記ＢＳへ送信することを特徴とする請求項１３記載のシステム。
【請求項２０】
前記ＡＳＮ＿ＧＷは、前記ＢＳから、該ＢＳで生成された時刻情報を含むＲＦスケジューリング情報を受信し、該ＲＦスケジューリング情報を用いて、前記第１のマルチキャスト／ブロードキャスト信号に対するパケット化動作を遂行し、当該パケット化の結果を示す第３の情報を前記第２のマルチキャスト／ブロードキャスト信号に含めて、該第２のマルチキャスト／ブロードキャスト信号を前記ＢＳへ送信することを特徴とする請求項１３記載のシステム。
【請求項２１】
通信システムにおけるマルチキャスト／ブロードキャスト信号を送受信するシステムであって、
基地局（BaseStation；ＢＳ）を含み、
前記通信システムが同一のサービスの提供を受ける少なくとも１つの領域を含み、前記領域が少なくとも１つのアクセスサービスネットワークゲートウェイ（Access Service Network Gateway；ＡＳＮ＿ＧＷ）及び前記ＡＳＮ＿ＧＷに接続される少なくとも１つのＢＳを含む場合には、前記ＢＳは、マルチキャスト／ブロードキャスト信号及び前記マルチキャスト／ブロードキャスト信号を送信しなければならない時点を示す時刻情報を前記ＡＳＮ＿ＧＷから受信し、前記時刻情報に従って、前記マルチキャスト／ブロードキャスト信号を送信することを特徴とするシステム。
【請求項２２】
前記時刻情報は、前記ＢＳが管理している時刻（Time of Day；ＴｏＤ）に関連した第１の情報を用いて、前記ＡＳＮ＿ＧＷにより生成されることを特徴とする請求項２１記載のシステム。
【請求項２３】
前記ＢＳは、当該ＢＳが管理している時刻（Time of Day；ＴｏＤ）に関連した第１の情報の送信を要求する第２の情報を前記ＡＳＮ＿ＧＷから受信し、該第２の情報に応じて、前記第１の情報を前記ＡＳＮ＿ＧＷへ送信することを特徴とする請求項２１記載のシステム。
【請求項２４】
前記マルチキャスト／ブロードキャスト信号は、前記ＡＳＮ＿ＧＷにより遂行されたパケット化動作の結果を示す情報を含むことを特徴とする請求項２１記載のシステム。
【発明の詳細な説明】
【技術分野】
【０００１】
本発明は、通信システムにおける信号を送受信するシステム及び方法に関し、特に、通信システムにおけるマルチキャスト／ブロードキャスト（multicast／broadcast）信号を送受信するシステム及び方法に関する。
【背景技術】
【０００２】
次世代通信システムは、移動端末機（Mobile Station；以下、“ＭＳ”と称する。）に多様な高速の大容量データサービスを提供するために開発が進められている。次世代通信システムの代表的な例がモバイルワイマックス（Mobile WiMAX（Worldwide Interoperability for Microwave Access）；以下、“モバイルＷｉＭＡＸ”と称する。）通信システムである。このモバイルＷｉＭＡＸ通信システムは、ＩＥＥＥ（Institute of Electrical and Electronics Engineers）８０２．１６標準に従う。
【０００３】
一方、次世代通信システムが提供しようとする主なサービスがマルチキャスト／ブロードキャストサービスである。しかしながら、現在、上記モバイルＷｉＭＡＸ通信システムについて活発な研究が進行しているものの、モバイルＷｉＭＡＸの動作については未だ確定されていない。従って、上記ＭＢＳを提供するための動作も全く定められていない。
【特許文献１】韓国特許出願2005-0098873号明細書
【発明の開示】
【発明が解決しようとする課題】
【０００４】
上記背景に鑑みて、本発明の目的は、通信システムにおけるマルチキャスト／ブロードキャスト信号を送受信するシステム及び方法を提供することにある。
【課題を解決するための手段】
【０００５】
上記のような目的を達成するために、本発明の第１の特徴によれば、通信システムにおけるアクセスサービスネットワークゲートウェイ（Access Service Network Gateway；ＡＳＮ＿ＧＷ）でマルチキャスト／ブロードキャスト信号を送受信する方法であって、上記通信システムが同一のサービスの提供を受ける少なくとも１つの領域を含み、上記領域が少なくとも１つのＡＳＮ＿ＧＷと、上記ＡＳＮ＿ＧＷに接続されている少なくとも１つの基地局（BaseStation；ＢＳ）とを含む場合には、当該領域に関する情報に従って、受信された第１のマルチキャスト／ブロードキャスト信号を用いて第２のマルチキャスト／ブロードキャスト信号を生成するステップと、上記ＢＳが上記第２のマルチキャスト／ブロードキャスト信号を送信しなければならない時点を示す時刻情報を生成するステップと、上記第２のマルチキャスト／ブロードキャスト信号及び上記時刻情報を上記ＢＳへ送信するステップと、を含むことを特徴とする。
【０００６】
本発明の第２の特徴によれば、通信システムにおける基地局（BaseStation；ＢＳ）でマルチキャスト／ブロードキャスト信号を送受信する方法であって、上記通信システムが同一のサービスの提供を受ける少なくとも１つの領域を含み、上記領域が少なくとも１つのアクセスサービスネットワークゲートウェイ（Access Service Network Gateway；ＡＳＮ＿ＧＷ）と、上記ＡＳＮ＿ＧＷに接続されている少なくとも１つのＢＳとを含む場合には、マルチキャスト／ブロードキャスト信号及び上記ＢＳが上記マルチキャスト／ブロードキャスト信号を送信しなければならない時点を示す時刻情報を上記ＡＳＮ＿ＧＷから受信するステップと、上記時刻情報に従って、上記マルチキャスト／ブロードキャスト信号を送信するステップと、を含むことを特徴とする。
【０００７】
本発明の第３の特徴によれば、通信システムにおけるマルチキャスト／ブロードキャスト信号を送受信するシステムであって、アクセスサービスネットワークゲートウェイ（Access Service Network Gateway；ＡＳＮ＿ＧＷ）を含み、上記通信システムが同一のサービスの提供を受ける少なくとも１つの領域を含み、上記領域が少なくとも１つのＡＳＮ＿ＧＷと、上記ＡＳＮ＿ＧＷに接続されている少なくとも１つの基地局（BaseStation；ＢＳ）とを含む場合には、上記ＡＳＮ＿ＧＷは、上記領域に関する情報に従って、受信された第１のマルチキャスト／ブロードキャスト信号を用いて第２のマルチキャスト／ブロードキャスト信号を生成し、上記第２のマルチキャスト／ブロードキャスト信号を上記ＢＳが送信しなければならない時点を示す時刻情報を生成し、上記第２のマルチキャスト／ブロードキャスト信号及び上記時刻情報を上記ＢＳへ送信することを特徴とする。
【０００８】
本発明の第４の特徴によれば、通信システムにおけるマルチキャスト／ブロードキャスト信号を送受信するシステムであって、基地局（BaseStation；ＢＳ）を含み、上記通信システムが同一のサービスの提供を受ける少なくとも１つの領域を含み、上記領域が少なくとも１つのアクセスサービスネットワークゲートウェイ（Access Service Network Gateway；ＡＳＮ＿ＧＷ）及び上記ＡＳＮ＿ＧＷに接続される少なくとも１つのＢＳを含む場合には、上記ＢＳは、マルチキャスト／ブロードキャスト信号及び上記マルチキャスト／ブロードキャスト信号を送信しなければならない時点を示す時刻情報を上記ＡＳＮ＿ＧＷから受信し、上記時刻情報に従って、上記マルチキャスト／ブロードキャスト信号を送信することを特徴とする。
【発明の効果】
【０００９】
本発明によれば、以下のような長所が得られる。第一に、ＭＢＳ信号がタイミング同期化の後に送受信されるので、モバイルＷｉＭＡＸ通信システムにおけるＭＢＳを効率的に提供することができる。特に、ＭＢＳ信号を送受信する間にマクロダイバーシティ利得を取得することができるという長所を有する。
【００１０】
第二に、ＭＢＳサーバまたはＡＳＮ＿ＧＷは、ＭＢＳ信号間のタイミング同期化のために使用されるタイムスタンプを生成するので、モバイルＷｉＭＡＸ通信システムの要求に従いＭＢＳを適応して提供することができる、という長所を有する。
【００１１】
第三に、タイムスタンプは、ＢＳから受信された時刻情報に基づいて生成される。従って、ＭＢＳ信号を送受信する間にタイミング同期化の信頼性を向上させることができるという長所を有する。
【００１２】
第四に、タイミングスタンプに基づくＭＢＳ信号のパケット化及び送受信は、モバイルＷｉＭＡＸ通信システムにおけるＭＢＳを効率的に提供することに寄与するという長所を有する。
【発明を実施するための最良の形態】
【００１３】
以下、本発明の好適な一実施形態を、添付図面を参照しつつ詳細に説明する。下記の説明において、本発明の要旨のみを明瞭にする目的で、関連した公知の機能又は構成に関する具体的な説明は省略する。
【００１４】
本発明の実施形態は、通信システムにおけるマルチキャスト／ブロードキャスト（multicast/broadcast）信号を送受信するシステム及び方法を提案する。
【００１５】
以下、本発明の実施形態では、説明の便宜上、モバイルワイマックス（Worldwide Interoperability for Microwave Access）；以下、“モバイルＷｉＭＡＸ”と称する。）通信システムを通信システムと仮定し、マルチキャスト／ブロードキャストサービス（Multicast/Broadcast Service；以下、“ＭＢＳ”と称する。）信号をマルチキャスト／ブロードキャスト信号と仮定する。ここで、ＭＢＳとは、“ＭＣＢＣＳ”と称することもできるが、本発明では、“ＭＢＳ”と称する。本発明では、通信システムにおけるマルチキャスト／ブロードキャスト信号を送受信するシステム及び方法について説明するが、本発明は、他の通信システム及び他のタイプのマルチキャスト／ブロードキャスト信号にも適用されることができる。
【００１６】
まず、本発明によるモバイルＷｉＭＡＸ通信システムにおいて、タイミング同期化を遂行した後にＭＢＳ信号を送受信する方法について簡略に説明する。
【００１７】
ＭＢＳを支援するモバイルＷｉＭＡＸ通信システムにおいて、複数の基地局（BaseStation；以下、“ＢＳ”と称する。）が同一の周波数を用いて同一のＭＢＳ信号を送信する場合には、受信側移動端末機（Mobile Station；以下、“ＭＳ”と称する。）は、コンバイニングダイバーシティ（combining diversity）利得、すなわち、マクロダイバーシティ（Macro diversity）利得を取得することができる。ここで、ＢＳは、無線アクセスステーション(Radio Access Station；以下、“ＲＡＳ”と称する。)で実現されることもできる。）ＭＳがかかるマクロダイバーシティ利得を取得することができる理由について説明すると、次の通りである。
【００１８】
モバイルＷｉＭＡＸ通信システムのチャンネル環境は、多重経路フェージング（multi-path fading）及びシャドーイング（shadowing）などによるＭＳの位置及びＭＳの移動速度に従って持続的に経時変化する。また、ＭＳがセルエッジ領域（cell edge region）に近接するほど、セル間の干渉は、ひどくなる。
【００１９】
したがって、本発明の実施形態では、ＭＢＳゾーン（zone）は、同一のＭＢＳをＭＳに提供する少なくとも１つの基地局（ＢＳ）により定義される。ここで、ＢＳは、アクセスサービスネットワークゲートウェイ（Access Service Network GateWay；以下、“ＡＳＮ-ＧＷ”と称する。）と接続され、この ＡＳＮ-ＧＷは、アクセス制御ルータ(Access Control Router；以下、“ＡＣＲ”と称する。)で実現されることもできる。結局、同一のＭＢＳゾーン内のＢＳは、同一のＭＢＳ信号を送信する。しかしながら、ＭＢＳ信号間のタイミング同期化を遂行することなく、受信側のＭＳがマクロダイバーシティ利得を取得することは不可能である。
【００２０】
このような問題を避けるために、同一のＭＢＳゾーン内の複数のＢＳは、ＭＳがマクロダイバーシティ利得を取得することができるように、上記同一のＭＢＳ信号のタイミング同期化を相互間で遂行する。このようなタイミング同期化のためには、ＢＳは、同一の時点で同一のＭＢＳ信号を送信するためにタイムスタンプ（time stamp）を使用しなければならない。ここで、タイムスタンプとは、（複数の）ＢＳがＭＢＳ信号を送信する時点に関する情報を意味する。本発明の実施形態に従って、ＭＢＳサーバ又は ＡＳＮ-ＧＷは、かかるタイムスタンプを生成することができる。ここで、ＭＳサーバは、ＭＣＢＣＳネットワークサーバ(ＭＣＢＣＳ network Server)とも称する。
【００２１】
図１を参照して、本発明の実施形態によるモバイルＷｉＭＡＸ通信システムの構成について説明する。
【００２２】
図１は、本発明の実施形態によるモバイルＷｉＭＡＸ通信システムの構成を示す図である。
【００２３】
図１を参照すると、本実施形態のモバイルＷｉＭＡＸ通信システムは、コンテンツサーバ１１０と、コアサービスネットワーク（Core Service Network；ＣＮ）１２０と、モバイルＷｉＭＡＸアクセスネットワーク１３０と、ＭＳ１４０と、を含む。コアサービスネットワーク１２０は、政策サーバ（policy server）１２１と、ＭＢＳサーバ１２３とを含む。ここで、コンテンツサーバ１１０は、ＭＣＢＣＳネットワークアプリケーションサーバとも称し、コアサービスネットワーク１２０の外部にも存在することができる。モバイルＷｉＭＡＸアクセスネットワーク１３０は、ＡＳＮ-ＧＷ１３１と、ＢＳ１３３とを含む。
【００２４】
まず、コンテンツサーバ１１０は、コンテンツを管理する。コンテンツサーバ１１０は、ＭＢＳサーバ１２３に接続されて、ＭＢＳサーバ１２３がコンテンツを必要とする場合に、当該コンテンツをＭＢＳサーバ１２３に供給する。政策サーバ１２１は、各インターネットプロトコル（Internet Protocol；以下、“ＩＰ”と称する。）フロー別にサービス品質（Quality of Service；以下、“ＱｏＳ”と称する。）プロフィール情報を管理する。ＭＢＳサーバ１２３を介してＭＳ１４０からＭＢＳ要求を受信した場合には、政策サーバ１２１は、予め設定されているインターフェース方式、例えば、ダイアメータインターフェース方式、またはＣＯＰＳ（Common Open Policy Service ）インターフェース方式を用いて、ＭＢＳがＭＳ１４０のためにトリガーリングされることをＡＳＮ−ＧＷ１３１に通知する。政策サーバ１２１の動作は、本発明とは直接関連がないので、その詳細な説明を省略する。
【００２５】
また、ＭＢＳサーバ１２３は、コンテンツサーバ１１０及び政策サーバ１２１に接続されており、コンテンツサーバ１１０から受信されたＭＢＳ信号をＡＳＮ−ＧＷ１３１に提供し、また、ＡＳＮ−ＧＷ１３１からＭＳ１４０のＭＢＳ要求を受信した場合には、これを政策サーバ１２１へ通知する。さらに、本発明の実施形態では、ＭＢＳサーバ１２３は、ＭＢＳに対するタイムスタンプを生成することができる。ＭＢＳサーバ１２３でＭＢＳに対するタイムスタンプを生成し、該生成されたタイムスタンプに基づいてＭＢＳ信号を送受信する動作についての詳細な説明は、後述する。
【００２６】
ＡＳＮ−ＧＷ１３１は、ＭＳ１４０の接続及び移動性を管理し、アップリンク及びダウンリンク接続別に固有のサービスフロー（service flow）を生成する。また、ＡＳＮ−ＧＷ１３１は、政策サーバ１２１からＭＢＳがＭＳ１４０のためにトリガーリングされる通知を受ける場合には、ＭＢＳをＭＳ１４０へ提供するためのサービスフローを生成する。本発明において、ＡＳＮ−ＧＷ１３１は、ＭＢＳに対するタイムスタンプを生成することもある。ＡＳＮ−ＧＷ１３１でＭＢＳに対するタイムスタンプを生成し、該生成されたタイムスタンプに基づいてＭＢＳ信号を送受信する動作についての詳細な説明は、後述する。
【００２７】
また、ＡＳＮ−ＧＷ１３１は、少なくとも１つのＢＳを選択し、該選択されたＢＳに時刻（Time of Day；“ＴｏＤ”と称する。）情報（例えば、２００６年１０月２５日９時１３分３４秒）を送信することを要求し、当該ＢＳからＴｏＤ情報を受信する。以下、説明の便宜上、ＡＣＲ１３１がＴｏＤ情報を送信する１つのＢＳを選択する場合を説明するが、ＴｏＤ情報の信頼性を向上させるために、ＡＳＮ−ＧＷ１３１がＴｏＤ情報を送信する２つ以上のＢＳを選択してもよい。この場合、ＡＳＮ−ＧＷ１３１は、２つ以上のＢＳから受信されたＴｏＤ情報のすべてを用いて最終的なＴｏＤ情報を決定することにより、ＴｏＤ情報の正確性を向上させる。
【００２８】
ＡＳＮ−ＧＷ１３１は、ＭＢＳゾーン内のすべてのＢＳがＭＢＳ信号間のタイミング同期化を行ってＭＢＳ信号を送信することができるように、上記受信されたＴｏＤ情報を用いて、ＭＢＳ信号に割り当てられるフレーム番号（Frame Number；以下、“ＦＮ”と称する。）を決定する。このＴｏＤ情報及びＦＮについての詳細は後述する。また、ＡＣＲ１３１は、ＭＢＳ信号に関する無線周波数（Radio Frequency；以下、“ＲＦ”と称する。）スケジューリング情報を使用して、ＭＢＳ信号をパケット化する。このＲＦスケジューリング情報は、各ＢＳの変調及び符号化方式（Modulation and Coding Scheme；以下、“ＭＣＳ”と称する。）レベルに関する情報と、２次元の使用可能なバーストサイズ（available burst size）、すなわち、時間及び周波数割当てに関する情報と、メディアアクセス制御（Medium Access Control；以下、“ＭＡＣ”と称する。）サービス品質（Quality of Service；以下、“ＱｏＳ”と称する。）情報と、タイムスタンプと、送信期間と、ＭＢＳ信号に対するＭＣＳレベルに関する情報と、を含むことができる。ＲＦスケジューリング情報についてのさらなる詳細は、後述する。
【００２９】
ＢＳ１３３は、ＡＳＮ-ＧＷ１３１に接続され、ＭＳ１４０に無線で接続される。すなわち、ＢＳ１３３は、ＭＳ１４０に無線接続を提供し、ＭＡＣ ＱｏＳ情報に基づいてパケット化動作を遂行する。また、ＢＳ１３３は、ＡＳＮ-ＧＷ１３１からＴｏＤ要求を受信した場合には、ＴｏＤ情報をＡＳＮ-ＧＷ１３１に送信する。ここで、ＢＳ１３３は、絶対的なＴｏＤ情報を取得するための装置、例えば、全地球測位システム（Global Positioning System；以下、“ＧＰＳ”と称する。）受信器を含む。
【００３０】
図１は、モバイルＷｉＭＡＸアクセスネットワーク１３０が１つのＡＳＮ-ＧＷ１３１及び１つのＢＳ１３３を含む場合を示しているが、モバイルＷｉＭＡＸアクセスネットワーク１３０は、複数のＡＳＮ-ＧＷを含んでもよいし、かかる複数のＡＳＮ-ＧＷの各々は、複数のＢＳを含んでもよい。
【００３１】
次いで、図２を参照して、本発明の実施形態によるモバイルＷｉＭＡＸ通信システムにおけるＭＢＳサーバがタイムスタンプを生成する場合のＭＢＳ信号の送受信動作について説明する。
【００３２】
図２は、本発明の実施形態によるモバイルＷｉＭＡＸ通信システムにおけるＭＢＳサーバがタイムスタンプを生成する場合のＭＢＳ信号を送受信する間におけるＭＢＳ信号フローを示す図である。
【００３３】
図２を説明するに先立って、まず、ＭＢＳサーバは、ＭＢＳに対するタイムスタンプを生成し、ＢＳは、当該生成されたタイムスタンプを使用してタイミング同期化を取得した後にＭＢＳ信号を送信し、これにより、受信側ＭＳは、マクロダイバーシティ利得を取得することができる。
【００３４】
図２を参照すると、コンテンツサーバ２１０は、コンテンツをＭＢＳサーバ２２０へ伝達する。ＭＢＳサーバ２２０は、ＭＢＳ信号を管理しているＭＢＳゾーンに関する情報に従って、当該コンテンツ、すなわち、ＭＢＳ信号をＡＳＮ-ＧＷ２３０へ送信する。このとき、ＭＢＳサーバ２２０は、当該ＭＢＳ信号にタイムスタンプを含ませる。以下、タイムスタンプを有するＭＢＳ信号を“タイムスタンプ-ＭＢＳ信号”と呼ぶ。
【００３５】
まず、ＭＢＳサーバ２２０が３つのＭＢＳゾーン、すなわち、ＭＢＳゾーン１と、ＭＢＳゾーン２と、ＭＢＳゾーン３とを管理し、ＭＢＳゾーン１は、第１のＢＳ２４０と、第２のＢＳ２５０と、第３のＢＳ２６０（ＢＳ１と、ＢＳ２と、ＢＳ３）とを含み、ＭＢＳゾーン２は、ＢＳ１と、ＢＳ２と、ＢＳ３と、第４のＢＳ２７０（ＢＳ４）とを含み、ＭＢＳゾーン３は、ＢＳ２と、ＢＳ３と、ＢＳ４とを含む、と仮定する。また、ＢＳ１乃至ＢＳ４の各々は、第１の運用周波数（Frequency Assignment；以下、“ＦＡ”と称する。）１、第２のＦＡ２、及び第３のＦＡ３を使用することができる。ＢＳ１乃至ＢＳ４の各々は、ＡＳＮ-ＧＷ２３０に接続されている。
ＭＢＳを受信するＭＳがマクロダイバーシティ利得を取得することができるようにするためには、ＭＢＳサーバ２２０は、ＭＢＳゾーン別にタイムスタンプを生成する。すなわち、ＭＢＳ識別子（Identifier；以下、“ＩＤ”と称する。）を有するＭＢＳサービスが相互に異なるＭＢＳ接続識別子（MBS Connection ID；以下、“ＭＣＩＤ”と称する。）を使用して相互に異なるＭＢＳゾーンに提供されることができるので、ＭＢＳサーバ２２０は、コンテンツサーバ２１０から受信されたコンテンツのコピーをＭＢＳゾーンの個数だけ生成する。例えば、ＭＢＳサーバ２２０は、２つのＭＢＳ ＩＤ、すなわち、ＭＢＳ ＩＤ１及びＭＢＳ ＩＤ２を有するコンテンツを受信した場合には、ＭＢＳ ＩＤ１を有するコンテンツ及びＭＢＳ ＩＤ２を有するコンテンツを、各ＭＢＳゾーン別にコピーし、該コピーされたコンテンツを多重化させる。その後、ＭＢＳサーバ２２０は、各ＭＢＳゾーンの多重化されたＭＢＳ信号に対するタイムスタンプを生成し、当該タイムスタンプを有する多重化されたＭＢＳ信号をＡＳＮ-ＧＷ２３０へ送信する。
【００３６】
ＡＳＮ-ＧＷ２３０は、それぞれのＭＢＳゾーン内のＢＳに上記タイムスタンプ-ＭＢＳ信号を送信する。すなわち、ＢＳ１がＭＢＳゾーン１及びＭＢＳゾーン２に属するので、ＡＳＮ-ＧＷ２３０は、ＢＳ１に、ＭＢＳゾーン１に該当するタイムスタンプ-ＭＢＳ信号及びＭＢＳゾーン２に該当するタイムスタンプ-ＭＢＳ信号を送信する。また、ＢＳ２及びＢＳ３がＭＢＳゾーン１、ＭＢＳゾーン２、及びＭＢＳゾーン３に属するので、ＡＳＮ-ＧＷ２３０は、ＭＢＳゾーン１に該当するタイムスタンプ-ＭＢＳ信号と、ＭＢＳゾーン２に該当するタイムスタンプ-ＭＢＳ信号と、ＭＢＳゾーン３に該当するタイムスタンプ-ＭＢＳ信号と、をＢＳ２及びＢＳ３へ送信する。最後に、ＢＳ４がＭＢＳゾーン２及びＭＢＳゾーン３に属するので、ＡＳＮ-ＧＷ２３０は、ＭＢＳゾーン２に該当するタイムスタンプ-ＭＢＳ信号とＭＢＳゾーン３に該当するタイムスタンプ-ＭＢＳ信号とをＢＳ４へ送信する。
【００３７】
ＢＳ１乃至ＢＳ４の各々は、当該受信されたタイムスタンプ-ＭＢＳ信号を該当するタイムスタンプで示される時点で送信し、これにより、ＭＳは、マクロダイバーシティ利得を取得することができる。
【００３８】
次いで、図３を参照して、図２に示したＭＢＳサーバ２２０の動作について説明する。
【００３９】
図３は、図２に示したＭＢＳサーバ２２０の動作を示すフローチャートである。
【００４０】
図３を参照すると、ステップＳ３１１で、ＭＢＳサーバ２２０は、コンテンツサーバ２１０からコンテンツを受信し、次のステップＳ３１３で、当該受信されたコンテンツのコピーをＭＢＳゾーンの個数だけ生成する。ステップＳ３１５で、ＭＢＳサーバ２２０は、当該コピーされたコンテンツを使用して各ＭＢＳゾーンに対するＭＢＳ信号を生成し、ＭＢＳゾーン別にＭＢＳ信号に対するタイムスタンプを生成する。その後、ステップＳ３１７で、ＭＢＳサーバ２２０は、上記各ＭＢＳゾーンに対するタイムスタンプ-ＭＢＳ信号をＡＳＮ-ＧＷ２３０へ送信する。
【００４１】
一方、ＭＢＳサーバが図２及び図３に示したようなタイムスタンプを生成する場合には、モバイルＷｉＭＡＸ通信システムは、次のような問題点に直面する可能性がある。
【００４２】
（１） ＭＢＳサーバがＭＢＳゾーン別にタイムスタンプを生成するため、ＭＢＳゾーンの個数と同数のコンテンツのコピーを生成して、これをＡＳＮ-ＧＷへ送信する。この場合には、ＭＢＳサーバとＡＳＮ-ＧＷとの間の全信号送信量は、コンテンツのコピーの回数に伴って急激に増加し、これにより、ＭＢＳサーバとＡＳＮ-ＧＷとの間のインターフェースにオーバーロードを課し、ＡＳＮ-ＧＷのメモリ容量の浪費をもたらす。
【００４３】
（２） ＭＢＳゾーン別にＭＢＳ信号の多重化を遂行するためには、ＡＳＮ-ＧＷは、ＲＦスケジューリング情報をＭＢＳサーバへ送信しなければならない。もし、ＭＢＳサーバがモバイルＷｉＭＡＸ通信システムから独立している個体である場合には、ＡＳＮ-ＧＷから各ＢＳに関するＲＦスケジューリング情報をＭＢＳサーバへ送信することは好ましくない。
【００４４】
（３） タイムスタンプは、ＢＳがＭＢＳ信号を送信する時点を示す。従って、ＭＢＳサーバが現在の時点を基準にして生成するタイムスタンプは、ＭＢＳサーバからＢＳへの信号送信に必要とされる待ち時間（latency；レイテンシー）を考慮して生成されなければならない。しかしながら、ＭＢＳサーバからＢＳへの送信経路が長く、送信経路ごとに不確実性（uncertainty）が存在することを考慮すれば、ＭＢＳサーバが上記レイテンシーを補正することによりタイムスタンプを生成することは困難である。
【００４５】
これに関連して、本発明は、ＭＳがマクロダイバーシティ利得を取得できるようにするために、ＡＳＮ-ＧＷがＭＢＳに対するタイムスタンプを生成し、ＢＳがこのタイムスタンプに基づいてタイミング同期化を遂行した後に、ＭＢＳ信号を送信する方法を提案する。
【００４６】
図４を参照して、本発明の実施形態によるモバイルＷｉＭＡＸ通信システムにおけるＡＳＮ-ＧＷがタイムスタンプを生成する場合にＭＢＳ信号を送受信する過程について説明する。
【００４７】
図４は、本発明の実施形態によるモバイルＷｉＭＡＸ通信システムにおけるＡＳＮ-ＧＷがタイムスタンプを生成する場合のＭＢＳ信号を送受信する間におけるＭＢＳ信号フローを示す図である。
【００４８】
図４を参照すると、コンテンツサーバ４１０は、コンテンツをＭＢＳサーバ４２０に提供する。ＭＢＳサーバ４２０は、当該コンテンツを、ＭＢＳ信号を管理しているＭＢＳゾーンに関する情報に従って、ＡＳＮ-ＧＷ４３０へ送信する。ここで、ＭＢＳサーバ４２０が３つのＭＢＳゾーン、すなわち、ＭＢＳゾーン１と、ＭＢＳゾーン２と、ＭＢＳゾーン３とを管理し、ＭＢＳゾーン１は、第１のＢＳ４４０と、第２のＢＳ４５０と、第３のＢＳ４６０（ＢＳ１と、ＢＳ２と、ＢＳ３）とを含み、ＭＢＳゾーン２は、ＢＳ１と、ＢＳ２と、ＢＳ３と、第４のＢＳ４７０（ＢＳ４）とを含み、ＭＢＳゾーン３は、ＢＳ２と、ＢＳ３と、ＢＳ４とを含む、と仮定する。また、ＢＳ１乃至ＢＳ４の各々は、第１のＦＡ、第２のＦＡ、及び第３のＦＡ（ＦＡ１、ＦＡ２、及びＦＡ３）を使用することができる。ＢＳ１乃至ＢＳ４の各々は、ＡＳＮ-ＧＷ４３０に接続されている。
【００４９】
一方、ＭＢＳサーバ４２０は、タイムスタンプを生成しないため、コンテンツサーバ４１０から受信されたコンテンツをそのままＡＳＮ-ＧＷ４３０へ送信する。ＡＳＮ-ＧＷ４３０は、当該コンテンツを用いて各ＭＢＳゾーンに向けられるＭＢＳ信号を生成し、該ＭＢＳ信号に対するタイムスタンプを生成する。ここで、ＡＳＮ-ＧＷ４３０は、ＭＢＳサーバ４２０からＭＢＳゾーンに関する情報を受信してもよいし、または、他のエンティティ（図示せず）からＭＢＳゾーンに関する情報を受信してもよい。ＡＳＮ-ＧＷ４３０でのＭＢＳゾーンに関する情報の受信は、本発明と直接関連がないので、その詳細な説明を省略する。
【００５０】
ＡＳＮ-ＧＷ４３０は、各ＭＢＳゾーン内のＢＳへタイムスタンプ-ＭＢＳ信号を送信する。すなわち、ＢＳ１がＭＢＳゾーン１及びＭＢＳゾーン２に属するので、ＡＳＮ-ＧＷ４３０は、ＭＢＳゾーン１に該当するタイムスタンプ-ＭＢＳ信号及びＭＢＳゾーン２に該当するタイムスタンプ-ＭＢＳ信号をＢＳ１へ送信する。また、ＢＳ２及びＢＳ３がＭＢＳゾーン１、ＭＢＳゾーン２、及びＭＢＳゾーン３に属するので、ＡＳＮ-ＧＷ４３０は、ＭＢＳゾーン１に該当するタイムスタンプ-ＭＢＳ信号と、ＭＢＳゾーン２に該当するタイムスタンプ-ＭＢＳ信号と、ＭＢＳゾーン３に該当するタイムスタンプ-ＭＢＳ信号とを、ＢＳ２及びＢＳ３へ送信する。最後に、ＢＳ４がＭＢＳゾーン２及びＭＢＳゾーン３に属するので、ＡＳＮ-ＧＷ４３０は、ＭＢＳゾーン２に該当するタイムスタンプ-ＭＢＳ信号とＭＢＳゾーン３に該当するタイムスタンプ-ＭＢＳ信号とをＢＳ４へ送信する。
【００５１】
ＢＳ１乃至ＢＳ４の各々は、上記タイムスタンプ-ＭＢＳ信号に含まれたタイムスタンプが示す時点で上記受信されたタイムスタンプ-ＭＢＳ信号を送信し、これにより、ＭＳは、マクロダイバーシティ利得を取得することができる。
【００５２】
次いで、図５を参照して、図４に示したＡＳＮ-ＧＷ４３０の動作について説明する。
【００５３】
図５は、図４に示したＡＳＮ-ＧＷ４３０の動作を示すフローチャートである。
【００５４】
図５を参照すると、ステップＳ５１１で、ＡＳＮ-ＧＷ４３０は、ＭＢＳサーバ４２０からコンテンツを受信し、次のステップＳ５１３で、当該コンテンツを用いてＭＢＳゾーン別にＭＢＳ信号を生成し、該ＭＢＳゾーン別ＭＢＳ信号に対するタイムスタンプを生成する。ステップＳ５１５で、ＡＳＮ-ＧＷ４３０は、当該ＭＢＳゾーン別のタイムスタンプ-ＭＢＳ信号を、それぞれ該当するＢＳへ送信する。
【００５５】
図４及び図５を参照して説明したように、ＡＳＮ-ＧＷのタイムスタンプの生成は、ＭＢＳサーバのタイムスタンプの生成と比較すると、次のような利得を提供する。
【００５６】
（１） ＭＢＳサーバがタイムスタンプを生成する場合には、ＭＢＳサーバは、ＭＢＳゾーンの個数と同数のコンテンツのコピーを生成してＡＳＮ-ＧＷへ送信し、これにより、ＭＢＳサーバとＡＳＮ-ＧＷとの間のインターフェースにオーバーロードを課す。これに対して、ＡＳＮ-ＧＷがタイムスタンプを生成する場合には、当該コンテンツを必要とするＭＢＳゾーンのみに対して、コンテンツサーバから受信されたコンテンツをコピーしさえすればよい。従って、ＭＢＳサーバとＡＳＮ-ＧＷとの間のオーバーロードが除去され、ＡＳＮ-ＧＷのメモリ効率性が増加する。
【００５７】
（２） ＭＢＳサーバがタイムスタンプを生成する場合には、ＭＢＳサーバは、各ＢＳに関するＲＦスケジューリング情報をＡＳＮ-ＧＷから取得しなければならない。そして、ＭＢＳサーバがモバイルＷｉＭＡＸ通信システムから独立している個体である場合には、ＭＢＳサーバへのＲＦスケジューリング情報の送信は、情報管理の観点から好ましくない。これに対して、ＡＳＮ-ＧＷがタイムスタンプを生成する場合には、ＲＦスケジューリング情報をＭＢＳサーバへ送信する必要がなく、ＭＢＳサーバがモバイルＷｉＭＡＸ通信システムから独立している個体であっても全く問題にならない。
【００５８】
（３） ＭＢＳサーバがタイムスタンプを生成する場合には、ＭＢＳサーバからＢＳまでのレイテンシーを補正してタイムスタンプを生成することは難しいが、ＡＳＮ-ＧＷは、ＡＳＮ-ＧＷからＢＳまでのレイテンシーを補正することにより、タイムスタンプを生成しさえすればよい。従って、ＡＳＮ-ＧＷのタイムスタンプの生成は、ＭＢＳサーバのタイムスタンプの生成に比べてより容易である。
【００５９】
上述したように、ＭＳがマクロダイバーシティ利得を取得するためには、同一のＭＢＳゾーン内のＢＳは、同一の時点で同一のＭＢＳ信号をＭＳへ送信しなければならない。このために、タイムスタンプが使用され、かかるタイムスタンプの使用効率性を増加させるためには、ＡＳＮ-ＧＷとＢＳとの間のタイミング同期化が重要である。従って、本発明は、ＢＳが管理しているＴｏＤ情報を使用して、ＡＳＮ-ＧＷとＢＳとの間のタイミング同期化を取得するための方法を提案する。
【００６０】
図６を参照して、図１に示したＡＳＮ-ＧＷ１３１及びＢＳ１３３の内部構成について説明する。
【００６１】
図６は、図１に示したＡＳＮ-ＧＷ１３１及びＢＳ１３３のブロック図である。
【００６２】
図６を参照すると、ＡＳＮ-ＧＷ１３１は、制御カード６０１と、トラフィック処理カード６０５とを含む。ＢＳ１３３は、制御カード６１１を含む。また、制御カード６０１は、資源制御機能（resource control function）ブロック６０３を有し、制御カード６１１は、資源制御機能ブロック６１３及びＧＰＳ制御機能（GPS control function）ブロック６１５を有する。図６の下記の説明は、一例として、ＴｏＤ情報がＡＳＮ-ＧＷ１３１とＢＳ１３３との間の制御メッセージ送信経路を介して送信されることを前提としている。ＴｏＤ情報が例えばトラフィック送信経路を介して送信される場合と比較すると、制御メッセージ送信経路を介したＴｏＤ情報の送信は、送信遅延が小さいだけではなく、送信遅延の変化（variation）も小さい。従って、ＴｏＤ情報の送信の精度（正確性）を増加させる。
【００６３】
まず、ＡＳＮ-ＧＷ１３１がＢＳ１３３にＴｏＤ情報を要求する動作について説明する。
【００６４】
資源制御機能ブロック６０３は、ＡＳＮ-ＧＷ１３１に接続されているすべてのＢＳから、予め設定されている期間ごとに、正常動作通知メッセージを受信し、ＴｏＤ情報を送信するために正常に動作するＢＳのうちの少なくとも１つを選択する。図６に図示された例では、ＢＳ１３３が選択される。資源制御機能ブロック６０３は、正常動作通知メッセージがＢＳ１３３から成功裡に受信されたことを通知し、ＢＳ１３３自身が管理しているＴｏＤ情報をＡＳＮ-ＧＷ１３１へ送信するようにＢＳ１３３に要求する肯定応答（ACKnowledgment；ＡＣＫ）メッセージを、ＢＳ１３３へ送信する。一方、ＡＳＮ-ＧＷ１３１は、上記正常動作通知メッセージをＡＳＮ-ＧＷ１３１へ送信した他のＢＳに、ＴｏＤ情報要求を含まない従来のＡＣＫメッセージを送信する。
【００６５】
ＢＳ１３３において、資源制御機能ブロック６１３は、ＢＳ１３３がＴｏＤ情報をＡＳＮ-ＧＷ１３１へ送信すべきことを、受信されたＡＣＫメッセージから認識し、ＧＰＳ制御機能ブロック６１５にＴｏＤ情報を送信するように要求する。その後、ＧＰＳ制御機能ブロック６１５は、ＴｏＤ情報をＡＳＮ-ＧＷ１３１へ送信する。ここで、ＴｏＤ情報は、ＢＳ１３３を管理するために、ＡＳＮ-ＧＷ１３１に使用される制御メッセージ、例えば、正常動作通知メッセージにピギーバック（piggyback）される。既存の制御メッセージを使用する場合には、追加的な経路確立の必要性がなく、追加的な送信オーバーヘッドを発生させない。また、ＴｏＤ情報が別途の制御メッセージを用いて送信されず、正常動作通知メッセージにピギーバックされるので、ＴｏＤ情報の送信期間は、正常動作通知メッセージの送信期間と同一である。なお、正常動作通知メッセージを用いてＴｏＤ情報を送信する場合の他にも、新たな制御メッセージを用いて上記ＴｏＤ情報を送信することもできる。
【００６６】
次いで、図７を参照して、図１に示したＢＳ１３３がＴｏＤ情報を送信する過程について説明する。
【００６７】
図７は、図１に示したＢＳ１３３がＴｏＤ情報を送信する動作を示すフローチャートである。
【００６８】
図７を参照すると、ＢＳ１３３は、ステップＳ７０１で、自身が正常な動作を遂行していることを示すために、正常動作通知メッセージをＡＳＮ-ＧＷ１３１へ周期的に送信する。ステップＳ７０３で、ＢＳ１３３は、ＡＳＮ-ＧＷ１３１からのＴｏＤ情報要求を含むＡＣＫメッセージの受信を検査する。この検査の結果、ＴｏＤ情報要求を含むＡＣＫメッセージが受信されなかった場合には、ＢＳ１３３は、ステップＳ７０１へ戻る。
【００６９】
一方、ステップＳ７０３の検査の結果、ＴｏＤ情報要求を含むＡＣＫメッセージが受信された場合には、ＢＳ１３３は、ステップＳ７０５で、予め設定されているカウンターのカウント値Ｃを予め設定されている値Ｎ、例えば、１０に設定し、ステップＳ７０７で、予め設定されている期間ごとにＴｏＤ情報をＡＳＮ-ＧＷ１３１へ送信する。このＴｏＤ情報は、正常動作通知メッセージにピギーバックされる。
【００７０】
ここでは、ステップＳ７０７で、ＢＳ１３３がＴｏＤ情報をＡＳＮ-ＧＷ１３１へ周期的に送信する場合を説明しているが、ＴｏＤ情報に基づいてＦＮを生成し、このＦＮのみを周期的にＡＳＮ-ＧＷ１３１へ送信することとしてもよい。この場合には、ＢＳ１３３は、上記ＴｏＤ情報及び上記ＦＮのすべてを周期的にＡＳＮ-ＧＷ１３１へ送信することとしてもよい。以下では、ＢＳ１３３がＴｏＤ情報に基づいてＦＮを生成する動作について説明する。
【００７１】
まず、ＢＳ１３３は、サービスプロバイダーにより予め定められたＭＢＳ開始／終了時刻を認識して、ＭＢＳ開始時間の前にＭＢＳ開始メッセージをＡＳＮ-ＧＷ１３１へ送信する。ＡＳＮ-ＧＷ１３１は、このＭＢＳ開始メッセージに応じたＭＢＳ開始ＡＣＫメッセージをＢＳ１３３へ送信し、現在のＴｏＤに基づいて、ＦＮを初期値に設定する。この後、ＦＮは、フレーム期間ごとに増加される。例えば、１つのＭＢＳフレームの長さが５ｍｓと仮定する。
【００７２】
一方、ステップＳ７０９で、ＢＳ１３３は、上記カウント値Ｃが０であるか否かを検査する。この検査の結果、Ｃが０である場合には、ＢＳ１３３は、ステップＳ７１１で、上述の周期的なＴｏＤ情報送信を終了する。
【００７３】
上記検査の結果、Ｃが０でない場合には、ＢＳ１３３は、予め定められた値Ｍ、例えば、１だけＣを減少させた後に、ステップＳ７０７へ戻る。
【００７４】
図７を参照して説明したように、一旦、ＡＳＮ-ＧＷ１３１がＴｏＤ情報を送信するＢＳ１３３を選択した場合には、ＢＳ１３３は、予め定められた時間の間にＴｏＤ情報を周期的にＡＳＮ-ＧＷ１３１へ送信し、これにより、ＡＳＮ-ＧＷ１３１がＢＳから正常動作通知メッセージを受信する度にＴｏＤ情報を送信するＢＳを選択する必要がない。
【００７５】
次いで、図８を参照して、図１に示したＡＳＮ-ＧＷ１３１がＴｏＤ情報を受信する過程について説明する。
【００７６】
図８は、図１に示したＡＳＮ-ＧＷ１３１がＴｏＤ情報を受信する動作を示すフローチャートである。
【００７７】
図８を参照すると、ステップＳ８０１で、ＡＳＮ-ＧＷ１３１は、ＡＳＮ-ＧＷ１３１に接続されているすべてのＢＳから正常動作通知メッセージを受信する。もちろん、ＡＳＮ-ＧＷ１３１に接続されているすべてのＢＳの中で正常に動作しないＢＳは、上記正常動作通知メッセージをＡＳＮ-ＧＷ１３１へ送信しない。図８では、説明の便宜上、ＡＳＮ-ＧＷ１３１に接続されているすべてのＢＳが正常動作通知メッセージを送信すると仮定する。ステップＳ８０３で、ＡＳＮ-ＧＷ１３１は、ＢＳの中からＴｏＤ情報を送信するＢＳ１３３を選択し、当該選択されたＢＳ１３３に、ＴｏＤ情報要求を含むＡＣＫメッセージを送信する。図示していないが、ＡＳＮ-ＧＷ１３１は、従来のＡＣＫメッセージを他のＢＳへ送信する。
【００７８】
ステップＳ８０５で、ＡＳＮ-ＧＷ１３１は、ＢＳ１３３からＴｏＤ情報が受信されたか否かを検査する。ここで、ＴｏＤ情報は、正常動作通知メッセージにピギーバックされる。上記検査の結果、ＴｏＤ情報が受信された場合には、ＡＳＮ-ＧＷ１３１は、ステップＳ８０７で、ＢＳ１３３で使用されているＦＮ生成規則と同一の規則でＦＮを生成し、ステップＳ８０９で、かかるＦＮを含むＭＢＳ信号をＢＳ１３３へ送信する。したがって、ＦＮは、タイムスタンプである。
【００７９】
ここで、ＴｏＤ情報に基づいてＦＮを生成する動作について説明する。まず、ＴｏＤ情報は、絶対時間（例えば、２００６年１０月１５日１５時１９分１１秒）を示す一方で、ＦＮは、相対的時間（例えば、予め定められた時点後の５０ｍｓ）を示す。かかるＦＮがＭＢＳ信号の送信に使用されるので、フレーム単位で動作するＢＳ１３３とのタイミング同期化を取得するために、ＡＳＮ-ＧＷ１３１は、ＴｏＤ情報を用いてＦＮを生成しなければならない。ここで、ＴｏＤ情報は、ＦＮの時間分解能（例えば、５ｍｓ）及びビット数に従って、予め定められた時間の間に一対一対応でＦＮにマッピングされることができる。そのため、ＦＮは、ＴｏＤ情報を使用して生成されることができる。
【００８０】
上述したように、ステップＳ８０５及びステップＳ８０７で、ＡＳＮ-ＧＷ１３１は、ＢＳ１３３からＴｏＤ情報を受信し、該受信されたＴｏＤ情報に基づいてＦＮを生成するが、ＡＳＮ-ＧＷ１３１は、ＢＳ１３３からＦＮのみを受信することもでき、又はＴｏＤ情報及びＦＮのすべてを受信することもできる。
【００８１】
ＡＳＮ-ＧＷ１３１は、ＭＢＳ信号でＦＮを送信するフィールドのサイズを以下のように決定する。
【００８２】
まず、２４時間を５ｍｓ単位のＦＮとして表現するために必要とされるビットの数は、下記式（１）のように計算される。
【００８３】
【数１】
2008099291.tif 000003
【００８４】
上記の式（１）において、２２４が１６，７７７，２１６であるので、ＦＮ値は、２４ビットで表すことができ、約２３．３時間の間に唯一の値を有する。従って、ＭＢＳ提供時間のみを考慮すれば、一日の間に有効な唯一の値を有するＦＮを割り当てるために、上記フィールドの長さを２４ビットに設定する。
【００８５】
次いで、図９を参照して、図１のＡＳＮ-ＧＷ１３１がＦＮを生成する過程について説明する。
【００８６】
図９は、図１に示したＡＳＮ-ＧＷ１３１がＦＮを生成する動作を示すフローチャートである。
【００８７】
図９を参照すると、ステップＳ９０１で、ＡＳＮ-ＧＷ１３１は、ＢＳ１３３で使用されたＦＮ生成規則で選択されたＢＳ、すなわち、ＢＳ１３３から受信されたＴｏＤ情報に基づいて、ＦＮを生成する。或いは、ＡＳＮ-ＧＷ１３１は、ＢＳ１３３からＦＮを直接受信してもよい。ＦＮが生成されるか、又は受信されるかに関係なく、ＦＮは、受信ＦＮ（以下、“ｒｅｃｅｉｖｅｄ_ＦＮ”と称する。）で示される。ＡＳＮ-ＧＷ１３１がＴｏＤ情報又はＦＮを複数のＢＳから受信する場合には、ＢＳから取得されたｒｅｃｅｉｖｅｄ_ＦＮの中で有効なｒｅｃｅｉｖｅｄ_ＦＮを、全ＦＮ（以下、“ｇｌｏｂａｌ_ＦＮ”と称する。）と呼び、毎５ｍｓ増加させるローカルクロックをローカルクロック値（Local_increment）と呼ぶ。
【００８８】
ステップＳ９０３で、ＡＳＮ-ＧＷ１３１は、ｒｅｃｅｉｖｅｄ_ＦＮを現在のｇｌｏｂａｌ_ＦＮと比較する。この比較の結果、ｒｅｃｅｉｖｅｄ_ＦＮが現在のｇｌｏｂａｌ_ＦＮより小さいか又は同一の場合には、ＡＳＮ-ＧＷ１３１は、当該ｒｅｃｅｉｖｅｄ_ＦＮを無視する。一方、ｒｅｃｅｉｖｅｄ_ＦＮが現在のｇｌｏｂａｌ_ＦＮを超過する場合には、ステップＳ９０５で、ＡＳＮ-ＧＷ１３１は、ｇｌｏｂａｌ_ＦＮをｒｅｃｅｉｖｅｄ_ＦＮにアップデートし、ステップＳ９０７で、ローカルクロック値を０に初期化する。従って、複数のＢＳから受信された第１のＴｏＤ情報、すなわち、最小の送信遅延を有するＢＳからのＴｏＤ情報は、基準ＴｏＤとして決定される。
【００８９】
また、ステップＳ９０９で、ＡＳＮ-ＧＷ１３１は、ＭＢＳ信号にＦＮを含ませる前に、時分割二重化（Time Division Duplexing；以下、“ＴＤＤ”と称する。）フレームの長さである毎５ｍｓでローカルクロックが生成される度に、ローカルクロック値を予め定められた値、例えば、１ずつ増加させる。これは、ｒｅｃｅｉｖｅｄ_ＦＮを基準にして時間経過によってカウントされたローカルクロック値を、現在のＭＢＳ信号に含まれるＦＮに反映して、ＭＢＳ信号のタイミング同期化の正確性を増加させるためである。ここで、ローカルクロック値は、予め設定された時間単位でＴｏＤ情報送信期間のカウントで表現され、該カウントは、時間経過によるローカルクロックの発生回数に従って増加する。例えば、ＴｏＤ情報送信期間が２秒である場合には、この２秒は、５ｍｓの単位でカウントされ、該カウントは、０から３９９まで及ぶ。この場合には、ローカルクロック値は、最小９ビットで表現され、かかるローカルクロックを使用すれば、信頼性のあるＭＢＳサービスの提供に必要とされる分解能を有するＴｏＤ情報を提供することができる。
【００９０】
また、ＢＳ１３３がフレーム単位でＭＢＳ信号を送信すると仮定すれば、ＡＳＮ-ＧＷ１３１は、フレーム間のタイミング同期化のために、フレームごとにＦＮを含ませなければならない。従って、ステップＳ９１１で、ＡＳＮ-ＧＷ１３１は、下記式（２）を用いて現在のＭＢＳフレームにＦＮを割り当てる。
【００９１】
【数２】
2008099291.tif 000004
【００９２】
ここで、遅延補償値（Delay_compensation）は、ＢＳ１３３とＡＳＮ-ＧＷ１３１との間のＴｏＤ（又はＦＮ、又はＦＮ及びＴｏＤ）送信遅延、及びＢＳ１３３とＡＳＮ-ＧＷ１３１との間のＭＢＳトラフィック送信遅延を考慮して、下記式（３）を用いて計算される。
【００９３】
【数３】
2008099291.tif 000005
【００９４】
ここで、全遅延の最大値（max_tolerable_delay）は、上記ＴｏＤ送信遅延及びＭＢＳトラフィック送信遅延を用いて計算され、ローカルクロック分解能（local_clock_resolution）は、例えば、５ｍｓであることができる。全遅延の最大値を十分に大きく設定する場合には、これは、ＢＳからすでに送信されるべきだったＭＢＳ信号の到着のようなタイミング同期化の失敗を防止する。しかしながら、全遅延の最大値を大きく設定する場合には、ＢＳ内のバッファサイズを増加させる。
【００９５】
上述したように、同一のＭＢＳゾーン内のすべてのＢＳが同一のＭＢＳ信号を同一の時点で送信する場合のみ、ＭＳは、マクロダイバーシティ利得を取得することができる。しかしながら、モバイルＷｉＭＡＸ通信システムにおいて、ＭＢＳ信号に対するパケット化動作方式について全く提示されていない。従って、本発明は、モバイルＷｉＭＡＸ通信システムにおいて、ＭＢＳ信号に対するパケット化動作方式を提案する。
【００９６】
まず、図１０及び図１１を参照して、モバイルＷｉＭＡＸ通信システムにおけるＡＳＮ-ＧＷが上位層から受信された無線情報を使用してパケット化(packetization)動作を遂行する場合に、ＭＢＳ信号を送受信する過程について説明する。ここで、パケット化動作は、パッキング(packing)動作と、フラグメンテーション(fragmentation)動作及びパディング(padding)動作を含む。
【００９７】
図１０は、本発明の実施形態によるモバイルＷｉＭＡＸ通信システムにおけるＡＳＮ-ＧＷが上位層から受信された無線情報に基づいてパケット動作を遂行する場合のＭＢＳ信号を送受信する間におけるＭＢＳ信号フローを示す図である。
【００９８】
図１０を参照すると、ＡＳＮ-ＧＷ１３１は、ＭＢＳサーバ１２３からＭＢＳ信号を受信して、コンテンツ別タイミング同期及びＭＡＣフレームバーストサイズに適合した方式で、パケット化動作を遂行する。パケット化動作のために、ＡＳＮ-ＧＷ１３１は、必要とされる無線情報を、コンテンツサーバ１１０又はＭＢＳサーバ１２３から受信することができる。かかる無線情報は、ＭＢＳのチャンネル数と、チャンネル別の要求容量と、ＲＦスケジューリング情報と、を含む。ここで、ＲＦスケジューリング情報は、システム状況に従って適応するように変わることができる。
【００９９】
パケット化動作に関して、ＡＳＮ-ＧＷ１３１は、ＭＢＳサーバ１２３からＭＢＳトラフィック１００１及び１００７を受信し、上記上位層から受信された無線情報に基づいて、ＭＢＳペイロードサイズを決定する。この後、ＡＳＮ-ＧＷ１３１は、ＭＡＣフレーム内のバーストサイズ１０２１に適合するように、コンテンツ別にＭＢＳペイロードのフラグメンテーションを行う。このフラグメンテーションを行った結果、バーストサイズ１０２１未満のＭＢＳペイロードが存在する場合には、当該ＭＢＳペイロードは、ゼロパッディング（zero padding）１０２５の対象とされる。パディング動作の場合、ＢＳが遂行することもできる。この場合、ＡＳＮ-ＧＷ１３１は、フラグメンテーションが遂行されたか否かを示すフラグメンテーションサブヘッダー（Fragmentation Subheader）１０４０と、パケット化動作を遂行した後、その結果を含む一般ルーティングカプセル化（Generic Roution Encapsulation；以下、“ＧＲＥ”と称する。）ヘッダー１０３０とをフラグメントに追加して、ＢＳ１３３へ送信する。上記パケット化動作の遂行結果は、パッキング及びフラグメンテーションが存在するか否かに関する情報及びパケット化動作の遂行後のＳＤＵサイズを含む。また、タイムスタンプもＧＲＥに含まれることができる。このようなパケット化動作の遂行結果及びタイムスタンプは、ＧＥヘッダーに含まれず、別のヘッダーで生成されることもできる。上記ヘッダーの詳細な説明については後述する。
【０１００】
図１１は、本発明の他の実施形態によるモバイルＷｉＭＡＸ通信システムにおけるＡＳＮ-ＧＷが上位層から受信された無線情報に基づいてパケット化動作ｓを遂行する場合のＭＢＳ信号を送受信する間におけるＭＢＳ信号フローを示す図である。
【０１０１】
図１１を説明するに先立って、図１１に示したパケット化動作は、ゼロパッディングを遂行する代わりにパッキング（packing）を遂行することを除いては、図１０に示したパケット化動作と類似している。
【０１０２】
図１１を参照すると、ＡＳＮ-ＧＷ１３１は、ＭＢＳサーバ１２３からＭＢＳトラフィック１１０１を受信し、上位層から受信された無線情報に基づいてＭＢＳペイロードサイズ１１２１を決定する。この後、ＡＳＮ-ＧＷ１３１は、ＭＡＣフレーム内のバーストサイズ１１２１に適合するように、コンテンツ別にＭＢＳペイロードのフラグメンテーションを行う。かかるフラグメンテーションを行った結果、バーストサイズ１１２１未満のＭＢＳペイロードが存在する場合には、次のＭＢＳトラフィック１１０７の一部のＭＢＳトラフィック１１２５を当該ＭＢＳペイロードにパッキングする。この場合、ＡＳＮ-ＧＷ１３１は、フラグメンテーションが遂行されたか否かを示すフラグメンテーションサブヘッダー１１４０と、パッキングが遂行されたか否かを示すパッキングサブヘッダー１１５０と、タイミング同期化情報及びパケット化動作の結果を示すＧＲＥヘッダー１１３０と、をフラグメントに追加してＢＳ１３３へ送信する。上記各ヘッダーの詳細については後述する。
【０１０３】
一方、ＡＳＮ-ＧＷ１３１は、マクロダイバーシティを提供するためにコンテンツ同期化を遂行し、パケット化動作のために、受信されたＭＢＳトラフィックをフラグメンテーション及びパッキング／パッディング動作で処理する。上記パケット化動作のために、パッキングアルゴリズムは、ＭＢＳトラフィックの送信率に従って、以下のように遂行される。
【０１０４】
（１） 送信率がＭＡＣフレームバーストサイズより小さいか又は同一のパケットサイズに該当する場合には、ＡＳＮ-ＧＷ１３１は、パッキング動作或いはゼロパッディング動作を遂行する。
【０１０５】
（２） 送信率がＭＡＣフレームバーストサイズより大きいパケットサイズに該当する場合には、ＡＳＮ-ＧＷ１３１は、フラグメンテーションを遂行し、該フラグメンテーションを遂行した結果、残りのＭＢＳパケットに対しては、パッキング動作或いはゼロパッディング動作を遂行する。
【０１０６】
次いで、図１２を参照して、本発明の実施形態によるモバイルＷｉＭＡＸ通信システムにおけるＡＳＮ-ＧＷがＢＳから受信された無線情報に基づいてパケット化動作を遂行する場合に、ＭＢＳ信号を送受信する過程について説明する。
【０１０７】
図１２は、本発明の実施形態によるモバイルＷｉＭＡＸ通信システムにおけるＡＳＮ-ＧＷがＢＳから受信された無線情報に基づいてパケット化動作を遂行する場合のＭＢＳ信号を送受信する間における信号フローを示す図である。
【０１０８】
図１２を参照すると、ＢＳ１３３は、ステップＳ１２０１で、無線情報をＡＳＮ-ＧＷ１３１へ周期的に送信する。ここで、周期的な報告の代わりに、ＢＳ１３３は、必要なときだけ、上記無線情報を報告してもよい。ＢＳ１３３から送信された無線情報は、上位層から送信された無線情報と同一であってもよいし、異なってもよい。ステップＳ１２０３で、ＡＳＮ-ＧＷ１３１は、上記無線情報に基づいてＭＢＳペイロードサイズを決定する。この後、ステップＳ１２０５で、ＡＳＮ-ＧＷ１３１は、上位層からＭＢＳトラフィックを受信し、ステップＳ１２０７で、パケット化動作のために、ＭＡＣフレームバーストサイズに適合したペイロードを生成する。パケット化動作については、図１０及び図１１を参照して上述したので、その詳細な説明を省略する。
【０１０９】
パケット化動作を完了すると、ＡＳＮ-ＧＷ１３１は、ステップ１２０９で、生成されたＭＡＣセッションデータユニット(Session Data Unit；以下、“ＳＤＵ”と称する。)をＢＳ１３３に送信する。ここで、ＭＡＣ階層でのパケットユニットは、ＳＤＵと称し、このＳＤＵにエア(air)上のオーバヘッドを付けて物理(Physical；ＰＨＹ)階層であるエア上で伝送されるパケットユニットはＰＵＤと称する。ＳＤＵはＣＳＮからＡＳＮ−ＧＷが受信したパケットをパケット化した結果を示し、タイムスタンプ＆パケット化の存在可否に関する情報、及びサイズを含むオーバヘッドはこのようなＳＤＵに含まれない。ＳＤＵ送信以後の動作についても、図１０及び図１１を参照して上述したので、その詳細な説明を省略する。
【０１１０】
一方、本発明では、ＧＲＥヘッダー、例えば、上記パケット化動作の結果を送信する。しかしながら、ＧＲＥヘッダーの代わりに、他のトンネリングヘッダーが上記パケット化動作の結果を送信することもできることは自明である。図１３を参照して、本発明の実施形態によるパケット化動作の結果を送信するためのＧＲＥヘッダーのフォーマットについて説明する。
【０１１１】
図１３は、本発明の実施形態によるパケット化動作の結果を送信するためのＧＲＥヘッダーのフォーマットを示す図である。
【０１１２】
図１３を参照すると、ＧＲＥヘッダー１３００は、上位８ビットのフラグの設定によって、ＧＲＥヘッダー内に各フラグ別オプションフィールドを含む。各オプションフィールドの機能は、次の通りである。
【０１１３】
チェックサム（Checksum；Ｃ）フィールド１３０１は、ＧＲＥヘッダー及びペイロードパケットのＩＰ(Internet Protocol)パケットを含む。オフセット及びルーティング（Offset & Routing；Ｒ）フィールド１３０３は、Ｒフィールド１３０３の開始から使用可能なソースルートエントリー（Source Route Entry）までのオフセットを示す。キー（Key；Ｋ）フィールド１３０５は、ＧＲＥトンネルを設定するために各トラフィックフロー別固有の識別子を示す。シーケンス番号（Sequence Number；Ｓ）フィールド１３０７は、パケットシーケンスを保証するための情報を提供する。ストリクトソースルート（Strict Source Route；ｓ）フィールド１３０９は、ソースルートエントリーのリスト（List of Source Route Entries）”がＲフィールド１３０３に含まれているか否かを示す。リカー（Recursion Control；Ｒｅｃｕｒ）フィールド１３１１は、カプセル化が何回許容されるかを示す。予備フラグ（Reserved flag）フィールド１３１３の長さは、５ビットである。この５ビットの中の２ビットは、本発明によるパケット化動作の結果情報を提供するのに使用される。例えば、上記２ビットが“００”である場合には、フラグメンテーション／パッキング動作が遂行されなかったことを意味する。上記２ビットが“０１”である場合には、パッキング動作が遂行されたことを意味し、上記２ビットが“１０”である場合には、フラグメンテーション／ゼロパッディング動作が遂行されたことを意味し、上記２ビットが“１１”である場合には、フラグメンテーション／パッキング動作が遂行されたことを意味する。バージョンフィールド１３１５は、ＧＲＥヘッダーのバージョン情報を示し、プロトコルタイプフィールド１３１７は、ＧＲＥトンネルに含まれるＧＲＥペイロードのタイプを示す。上記ＧＲＥペイロードタイプには、ＩＰ、イーサネット(登録商標)などがある。
【０１１４】
次いで、図１４を参照して、本発明の実施形態によるモバイルＷｉＭＡＸ通信システムにおけるＡＳＮ-ＧＷのパケット化動作について説明する。
【０１１５】
図１４は、本発明の実施形態によるモバイルＷｉＭＡＸ通信システムにおけるＡＳＮ-ＧＷのパケット化動作を示すフローチャートである。
【０１１６】
図１４を参照すると、ステップＳ１４０１で、ＡＳＮ-ＧＷ１３１は、ＭＢＳトラフィックを受信すると、上位層又はＢＳ１３３から受信された無線情報に基づいて、ＭＢＳトラフィックの送信率を決定する。ステップＳ１４０３で、ＡＳＮ-ＧＷ１３１は、パケット化動作を遂行するために、当該受信されたＭＢＳトラフィックがＭＡＣフレームに収容されることができるか否かを検査する。この検査の結果、ＭＢＳトラフィックがＭＡＣフレームに収容されることができる場合には、ステップＳ１４０５で、ＡＳＮ-ＧＷ１３１は、システムポリシーに従ってゼロパッディング動作又はパッキング動作を遂行した後に、ステップＳ１４０９へ進行する。
【０１１７】
一方、ステップＳ１４０３で、ＭＢＳトラフィックがＭＡＣフレームに収容されることができない場合（すなわち大きすぎる場合）には、ステップＳ１４０７で、ＡＳＮ-ＧＷ１３１は、システムポリシーに従って、フラグメンテーション／ゼロパッディング動作又はフラグメンテーション／パッキング動作によりＭＢＳトラフィックを処理し、ステップＳ１４０９に進行する。ステップＳ１４０９で、ＡＳＮ-ＧＷ１３１は、上記パケット化動作の結果を含むＭＡＣサブヘッダーを生成した後に、当該ＭＡＣサブヘッダーを有するＭＡＣフレームをＢＳ１３３へ送信する。
【０１１８】
なお、本発明の詳細な説明においては、具体的な実施の形態について説明したが、本発明の範囲から逸脱しない範囲内であれば、種々な変形が可能であることは言うまでもない。よって、本発明の範囲は、上述した実施の形態に限定されるものではなく、特許請求の範囲とその均等物によって定められるべきである。
【図面の簡単な説明】
【０１１９】
【図１】本発明の実施形態によるモバイルＷｉＭＡＸ通信システムの構成を示す図である。
【図２】本発明の実施形態によるモバイルＷｉＭＡＸ通信システムにおけるＭＢＳサーバがタイムスタンプを生成する場合のＭＢＳ信号を送受信する間におけるＭＢＳ信号フローを示す図である。
【図３】図２に示したＭＢＳサーバの動作を示すフローチャートである。
【図４】本発明の実施形態によるモバイルＷｉＭＡＸ通信システムにおけるＡＳＮ-ＧＷがタイムスタンプを生成する場合のＭＢＳ信号を送受信する間におけるＭＢＳ信号フローを示す図である。
【図５】図４に示したＡＳＮ-ＧＷの動作を示すフローチャートである。
【図６】図１に示したＡＳＮ-ＧＷ及びＢＳのブロック図である。
【図７】図１に示したＢＳがＴｏＤ情報を送信する動作を示すフローチャートである。
【図８】図１に示したＡＳＮ-ＧＷがＴｏＤ情報を受信する動作を示すフローチャートである。
【図９】図１に示したＡＳＮ-ＧＷがフレーム番号（ＦＮ）を生成する動作を示すフローチャートである。
【図１０】本発明の実施形態によるモバイルＷｉＭＡＸ通信システムにおけるＡＳＮ-ＧＷが上位層から受信された無線情報に基づいてパケット化動作を遂行する場合のＭＢＳ信号を送受信する間におけるＭＢＳ信号フローを示す図である。
【図１１】本発明の他の実施形態によるモバイルＷｉＭＡＸ通信システムにおけるＡＳＮ-ＧＷが上位層から受信された無線情報に基づいてパケット化動作を遂行する場合のＭＢＳ信号を送受信する間におけるＭＢＳ信号フローを示す図である。
【図１２】本発明の実施形態によるモバイルＷｉＭＡＸ通信システムにおけるＡＳＮ-ＧＷがＢＳから受信された無線情報に基づいてパケット化動作を遂行する場合のＭＢＳ信号を送受信する信号フローを示す図である。
【図１３】本発明の実施形態によるパケット化動作の結果を送信するためのＧＲＥヘッダーのフォーマットを示す図である。
【図１４】本発明の実施形態によるモバイルＷｉＭＡＸ通信システムにおけるＡＳＮ-ＧＷのパケット化動作を示すフローチャートである。
【図１】
2008099291.tif 000006
【図２】
2008099291.tif 000007
【図３】
2008099291.tif 000008
【図４】
2008099291.tif 000009
【図５】
2008099291.tif 000010
【図６】
2008099291.tif 000011
【図７】
2008099291.tif 000012
【図８】
2008099291.tif 000013
【図９】
2008099291.tif 000014
【図１０】
2008099291.tif 000015
【図１１】
2008099291.tif 000016
【図１２】
2008099291.tif 000017
【図１３】
2008099291.tif 000018
【図１４】
2008099291.tif 000019